(57)【要約】【課題】画像形成装置において、画面サイズに関係なく、カスタマイズされた情報に応じて操作部の表示を行うことを可能とする。【解決手段】本発明に係る画像形成装置１００によれば、機能設定用の複数の設定画面の各画面に表示すべき各操作ボタン及び／又は各グループキーのそれぞれについて登録されたフロントページ表示有無情報及び表示優先順位の情報を入力された登録ＩＤに対応付けてカスタム操作部データ保存部１４３に記憶し、登録ＩＤが入力され設定画面の表示が指示された際に、入力された登録ＩＤに対応付けて記憶されている情報、表示が指示された設定画面に表示すべき各操作ボタン及び／又は各グループキーに対して予め設定されている表示基準サイズ並びに表示画面上のタッチパネルの検出可能領域サイズに基づいて、表示が指示された設定画面を作成し表示画面上に表示する。【選択図】図１
2006211374.tif 000002
【特許請求の範囲】
【請求項１】
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、を備えた画像形成装置において、
前記複数の各設定画面は、前記操作ボタン及び／又は切り離して表示できない相関関係を有する一以上の前記操作ボタンからなるグループキーが表示されるものであり、
前記操作部又は別途設けられたハードキーを介しての登録ＩＤの入力操作を要求するとともに、前記各設定画面に表示すべき各操作ボタン及び／又は各グループキーのそれぞれに対して、少なくとも前記複数の設定画面のそれぞれの最初のページであるフロントページ画面に表示するか否かのフロントページ表示有無情報及び表示優先順位の情報を登録するための登録画面を前記表示画面上に表示し、前記入力された登録ＩＤに前記登録画面から登録操作された情報を対応付けてカスタム操作部データ保存部に記憶する操作部カスタマイズ処理手段と、
前記操作部又は別途設けられたハードキーを介して前記登録ＩＤが入力され前記設定画面の少なくとも一つの表示が指示された際に、前記カスタム操作部データ保存部において前記入力された登録ＩＤに対応付けて記憶されている情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて、前記表示が指示された設定画面を作成し前記表示画面上に表示するカスタム操作部画面作成手段と、
を備えたことを特徴とする画像形成装置。
【請求項２】
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、ユーザを識別するためのユーザ識別情報を入力操作するための識別情報入力手段と、前記識別情報入力手段から入力されたユーザ識別情報に基づいてユーザの認証を行うユーザ認証手段と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面に表示すべき各操作ボタン及び／又は各グループキーのそれぞれに対して、少なくとも前記複数の設定画面のそれぞれの最初のページであるフロントページ画面に表示するか否かのフロントページ表示有無情報及び表示優先順位の情報を登録するための登録画面を前記表示画面上に表示し、前記ユーザ認証手段による認証時に入力されたユーザ識別情報に前記登録画面から登録操作された情報を対応付けてカスタム操作部データ保存部に記憶する操作部カスタマイズ処理手段と、
前記操作部又は別途設けられたハードキーを介して前記設定画面の少なくとも一つの表示が指示された際に、前記ユーザ認証手段による認証時に入力されたユーザ識別情報に対応付けて前記カスタム操作部データ保存部に記憶されている情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて、前記表示が指示された設定画面を作成し前記表示画面上に表示するカスタム操作部画面作成手段と、
を備えたことを特徴とする画像形成装置。
【請求項３】
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面の最初のページであるフロントページ画面に前記各操作ボタン及び／又は前記各グループキーを表示するか否かのフロントページ表示有無情報及び表示優先順位の情報を含む、前記各設定画面を表示する際のパターン情報を、各パターン情報を識別するためのパターンＩＤに対応付けて記憶するカスタム操作部データ保存部と、
前記操作部又は別途設けられたハードキーを介しての登録ＩＤの入力操作を要求するとともに、前記カスタム操作部データ保存部に記憶されたパターンＩＤの一覧画面を前記表示画面上に表示して何れかのパターンＩＤの選択操作を要求し、入力された前記登録ＩＤ及び選択された前記パターンＩＤを対応付けて登録する操作部カスタマイズ処理手段と、
前記操作部又は別途設けられたハードキーを介して前記登録ＩＤが入力され前記複数の設定画面の少なくとも一つの表示が指示された際に、前記入力された登録ＩＤに対応するパターンＩＤに対応付けて前記カスタム操作部データ保存部において記憶されているパターン情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて前記指示された設定画面を作成し前記表示画面上に表示するカスタム操作部画面作成手段と、
を備えたことを特徴とする画像形成装置。
【請求項４】
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、ユーザを識別するためのユーザ識別情報を入力操作するための識別情報入力手段と、前記識別情報入力手段から入力されたユーザ識別情報に基づいてユーザの認証を行うユーザ認証手段と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面の最初のページであるフロントページ画面に前記各操作ボタン及び／又は前記各グループキーを表示するか否かのフロントページ表示有無情報及び表示優先順位の情報を含む、前記各設定画面を表示する際のパターン情報を、各パターン情報を識別するためのパターンＩＤに対応付けて記憶するカスタム操作部データ保存部と、
前記カスタム操作部データ保存部に記憶されたパターンＩＤの一覧画面を前記表示画面上に表示して何れかのパターンＩＤの選択操作を要求し、前記ユーザ認証手段による認証時に入力されたユーザ識別情報と選択された前記パターンＩＤとを対応付けて登録する操作部カスタマイズ処理手段と、
前記操作部又は別途設けられたハードキーを介して前記複数の設定画面の少なくとも一つの表示が指示された際に、前記ユーザ認証手段による認証時に入力されたユーザ識別情報に対応するパターンＩＤに対応付けて前記カスタム操作部データ保存部に記憶されているパターン情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて前記指示された設定画面を作成し前記表示画面上に表示するカスタム操作部画面作成手段と、
を備えたことを特徴とする画像形成装置。
【請求項５】
前記操作部カスタマイズ処理手段は、前記パターンＩＤの一覧を表示する際に、各パターンＩＤに対応付けて前記カスタム操作部データ保存部に記憶されている内容を表示することを特徴とする請求項３又は４に記載の画像形成装置。
【請求項６】
前記グループキーは、大小２種類の表示基準サイズが用意されており、
前記カスタム操作部画面作成手段は、前記大きいサイズの表示基準サイズが前記表示画面に形成されるタッチパネルの検出可能領域を超える場合は、小さいサイズの表示基準サイズで表示すべきグループキーの表示を行うことを特徴とする請求項１〜５の何れか一項に記載の画像形成装置。
【請求項７】
ユーザの指サイズを検知する指サイズ検知手段を備え、
前記カスタム操作部画面作成手段は、前記検知された指サイズと表示する操作ボタンの表示基準サイズとを比較し、大きい方のサイズで前記操作ボタンを表示することを特徴とする請求項１〜６の何れか一項に記載の画像形成装置。
【請求項８】
前記指サイズ検知手段は、指紋情報を入力するための指紋入力センサであることを特徴とする請求項７に記載の画像形成装置。
【請求項９】
前記機能設定用の複数の設定画面は、機能の種類を示す複数の属性のうち設定を行う属性を選択するための操作ボタンを表示する属性選択画面と、前記属性選択画面から選択された属性の詳細条件を設定するためのグループキーを表示する属性別の詳細設定画面により構成されるものであり、
前記画像形成装置において新しい機能が追加された際に、その追加された機能の種類を示す属性を選択するための操作ボタンについて、前記属性選択画面のフロントページ画面への表示を有りと設定するとともに前記属性選択画面における表示優先順位をマイナス値で昇順に設定して前記カスタム操作部データ保存部に記憶する新規機能追加手段を有し、
前記カスタム操作部画面作成手段は、前記表示優先順位がマイナスかつ数値が大きい方から優先的に表示することで、新規機能をフロントページ画面に最優先で表示することを特徴とする請求項１〜８の何れか一項に記載の画像形成装置。
【発明の詳細な説明】
【技術分野】
【０００１】
本発明は、機能設定用の設定画面上の操作部をカスタマイズすることが可能な画像形成装置に関する。
【背景技術】
【０００２】
従来、画像形成装置においては、ユーザインターフェースとして、ＬＣＤ等の表示部と、表示部の表示画面上に透明タッチパネルが重畳され、透明タッチパネルの押下により操作指示の入力が可能な操作部により構成される操作表示部が用いられている。この操作表示部の操作性を向上させるため、各種技術が開発されている。例えば、特許文献１には、指サイズを検知し、その検知結果に応じて表示画面上に表示された入力範囲内の反応エリアサイズの設定を行うタッチパネル式入力装置が記載されている。また、特許文献２には、表示画面上の押下位置の個々の機能ボタンの最小表示エリアに対応した位置に少なくとも一個の記録処理機能入力用タッチパネルキーを配置し、このタッチパネルキーを格子状に配列してタッチパネルキーパネルを構成することにより、機能ボタンの表示デザインを自由に行うことができるようにした技術が記載されている。更に、特許文献３には、外部装置の機能設定に必要な情報を各外部装置側にもたせることで、装置本体の制御手順に関わらず外部装置に関する操作部制御情報を設計、変更することを可能とする技術が記載されている。
【０００３】
また、ユーザ毎に使い勝手のよい操作部をカスタマイズする機能や利用頻度に応じた操作部のカスタマイズを行う機能が知られている。
【特許文献１】特開２０００−３５７０４５号公報
【特許文献２】特開平４−１９１７５７号公報
【特許文献３】特開平６−７８０９７号公報
【発明の開示】
【発明が解決しようとする課題】
【０００４】
しかしながら、従来の画像形成装置においてカスタマイズされた操作部は、画像形成装置に接続される画面のサイズが小さくなると表示できなくなったり、指サイズに応じてボタン間隔が狭くなったり、接続する外部装置や新規機能を追加した場合にその機能に対応するボタンが表示されなかったりする等の問題があった。
【０００５】
本発明の課題は、画像形成装置において、画面サイズに関係なく、カスタマイズされた情報に応じて操作部の表示を行うことを可能とすることである。
【課題を解決するための手段】
【０００６】
上記課題を解決するため、請求項１に記載の発明は、
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、を備えた画像形成装置において、
前記複数の各設定画面は、前記操作ボタン及び／又は切り離して表示できない相関関係を有する一以上の前記操作ボタンからなるグループキーが表示されるものであり、
前記操作部又は別途設けられたハードキーを介しての登録ＩＤの入力操作を要求するとともに、前記各設定画面に表示すべき各操作ボタン及び／又は各グループキーのそれぞれに対して、少なくとも前記複数の設定画面のそれぞれの最初のページであるフロントページ画面に表示するか否かのフロントページ表示有無情報及び表示優先順位の情報を登録するための登録画面を前記表示画面上に表示し、前記入力された登録ＩＤに前記登録画面から登録操作された情報を対応付けてカスタム操作部データ保存部に記憶する操作部カスタマイズ処理手段と、
前記操作部又は別途設けられたハードキーを介して前記登録ＩＤが入力され前記設定画面の少なくとも一つの表示が指示された際に、前記カスタム操作部データ保存部において前記入力された登録ＩＤに対応付けて記憶されている情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて、前記表示が指示された設定画面を作成し前記表示画面上に表示するカスタム操作部画面作成手段と、
を備えたことを特徴としている。
【０００７】
請求項２に記載の発明は、
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、ユーザを識別するためのユーザ識別情報を入力操作するための識別情報入力手段と、前記識別情報入力手段から入力されたユーザ識別情報に基づいてユーザの認証を行うユーザ認証手段と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面に表示すべき各操作ボタン及び／又は各グループキーのそれぞれに対して、少なくとも前記複数の設定画面のそれぞれの最初のページであるフロントページ画面に表示するか否かのフロントページ表示有無情報及び表示優先順位の情報を登録するための登録画面を前記表示画面上に表示し、前記ユーザ認証手段による認証時に入力されたユーザ識別情報に前記登録画面から登録操作された情報を対応付けてカスタム操作部データ保存部に記憶する操作部カスタマイズ処理手段と、
前記操作部又は別途設けられたハードキーを介して前記設定画面の少なくとも一つの表示が指示された際に、前記ユーザ認証手段による認証時に入力されたユーザ識別情報に対応付けて前記カスタム操作部データ保存部に記憶されている情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて、前記表示が指示された設定画面を作成し前記表示画面上に表示するカスタム操作部画面作成手段と、
を備えたことを特徴としている。
【０００８】
請求項３に記載の発明は、
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面の最初のページであるフロントページ画面に前記各操作ボタン及び／又は前記各グループキーを表示するか否かのフロントページ表示有無情報及び表示優先順位の情報を含む、前記各設定画面を表示する際のパターン情報を、各パターン情報を識別するためのパターンＩＤに対応付けて記憶するカスタム操作部データ保存部と、
前記操作部又は別途設けられたハードキーを介しての登録ＩＤの入力操作を要求するとともに、前記カスタム操作部データ保存部に記憶されたパターンＩＤの一覧画面を前記表示画面上に表示して何れかのパターンＩＤの選択操作を要求し、入力された前記登録ＩＤ及び選択された前記パターンＩＤを対応付けて登録する操作部カスタマイズ処理手段と、
前記操作部又は別途設けられたハードキーを介して前記登録ＩＤが入力され前記複数の設定画面の少なくとも一つの表示が指示された際に、前記入力された登録ＩＤに対応するパターンＩＤに対応付けて前記カスタム操作部データ保存部において記憶されているパターン情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて前記指示された設定画面を作成し前記表示画面上に表示するカスタム操作部画面作成手段と、
を備えたことを特徴としている。
【０００９】
請求項４に記載の発明は、
機能設定用の複数の設定画面を切り換えて表示画面上に表示する表示部と、前記表示画面上に透明タッチパネルが重ねられ、前記表示画面上に表示された操作ボタンに対応する前記透明タッチパネルの押下位置の座標情報を検出することにより操作指示の入力を検出する操作部と、ユーザを識別するためのユーザ識別情報を入力操作するための識別情報入力手段と、前記識別情報入力手段から入力されたユーザ識別情報に基づいてユーザの認証を行うユーザ認証手段と、を備えた画像形成装置において、
前記複数の各設定画面は、前記操作ボタン及び／又は切り離して表示できない相関関係を有する一以上の前記操作ボタンからなるグループキーが表示されるものであり、
前記各設定画面の最初のページであるフロントページ画面に前記各操作ボタン及び／又は前記各グループキーを表示するか否かのフロントページ表示有無情報及び表示優先順位の情報を含む、前記各設定画面を表示する際のパターン情報を、各パターン情報を識別するためのパターンＩＤに対応付けて記憶するカスタム操作部データ保存部と、
前記カスタム操作部データ保存部に記憶されたパターンＩＤの一覧画面を前記表示画面上に表示して何れかのパターンＩＤの選択操作を要求し、前記ユーザ認証手段による認証時に入力されたユーザ識別情報と選択された前記パターンＩＤとを対応付けて登録する操作部カスタマイズ処理手段と、
前記操作部又は別途設けられたハードキーを介して前記複数の設定画面の少なくとも一つの表示が指示された際に、前記ユーザ認証手段による認証時に入力されたユーザ識別情報に対応するパターンＩＤに対応付けて前記カスタム操作部データ保存部に記憶されているパターン情報、前記表示が指示された設定画面に表示すべき前記各操作ボタン及び／又は前記各グループキーに対して予め設定されている表示基準サイズ並びに前記表示画面上のタッチパネルの検出可能領域サイズに基づいて前記指示された設定画面を作成し前記表示画面上に表示するカスタム操作部画面作成手段と、
を備えたことを特徴としている。
【００１０】
請求項５に記載の発明は、請求項３又は４に記載の発明において、
前記操作部カスタマイズ処理手段は、前記パターンＩＤの一覧を表示する際に、各パターンＩＤに対応付けて前記カスタム操作部データ保存部に記憶されている内容を表示することを特徴としている。
【００１１】
請求項６に記載の発明は、請求項１〜５の何れか一項に記載の発明において、
前記グループキーは、大小２種類の表示基準サイズが用意されており、
前記カスタム操作部画面作成手段は、前記大きいサイズの表示基準サイズが前記表示画面に形成されるタッチパネルの検出可能領域を超える場合は、小さいサイズの表示基準サイズで表示すべきグループキーの表示を行うことを特徴としている。
【００１２】
請求項７に記載の発明は、請求項１〜６の何れか一項に記載の発明において、
ユーザの指サイズを検知する指サイズ検知手段を備え、
前記カスタム操作部画面作成手段は、前記検知された指サイズと表示する操作ボタンの表示基準サイズとを比較し、大きい方のサイズで前記操作ボタンを表示することを特徴としている。
【００１３】
請求項８に記載の発明は、請求項７に記載の発明において、
前記指サイズ検知手段は、指紋情報を入力するための指紋入力センサであることを特徴としている。
【００１４】
請求項９に記載の発明は、請求項１〜８の何れか一項に記載の発明において、
前記機能設定用の複数の設定画面は、機能の種類を示す複数の属性のうち設定を行う属性を選択するための操作ボタンを表示する属性選択画面と、前記属性選択画面から選択された属性の詳細条件を設定するためのグループキーを表示する属性別の詳細設定画面により構成されるものであり、
前記画像形成装置において新しい機能が追加された際に、その追加された機能の種類を示す属性を選択するための操作ボタンについて、前記属性選択画面のフロントページ画面への表示を有りと設定するとともに前記属性選択画面における表示優先順位をマイナス値で昇順に設定して前記カスタム操作部データ保存部に記憶する新規機能追加手段を有し、
前記カスタム操作部画面作成手段は、前記表示優先順位がマイナスかつ数値が大きい方から優先的に表示することで、新規機能をフロントページ画面に最優先で表示することを特徴としている。
【発明の効果】
【００１５】
請求項１に記載の発明によれば、機能設定用の設定画面上の操作部をユーザの使い勝手が良いようにカスタマイズ登録することが可能であり、画面サイズに変更があっても、再登録を行うことなくカスタマイズされたとおりに操作ボタン及び／又はグループキーを表示して機能設定用の設定画面を表示することが可能となる。また、登録された情報は、登録ＩＤにより管理されるので、一人のユーザにつき複数の登録を行うことができ、設定を行いたい機能に応じて複数登録された操作部の中から最も使い勝手のよい操作部を表示する画面を表示することが可能となる。
【００１６】
請求項２に記載の発明によれば、機能設定用の設定画面上の操作部をユーザの使い勝手が良いようにカスタマイズすることが可能であり、画面サイズに変更があっても、再登録を行うことなくカスタマイズされたとおりに操作ボタン及び／又はグループキーを表示して機能設定用の設定画面を表示することが可能となる。また、登録された情報は、ユーザ認証時に入力されたユーザ識別情報により管理されるので、個人別に容易に登録を行うことができる。
【００１７】
請求項３に記載の発明によれば、機能設定用の設定画面上の操作部を、予め登録されたパターン情報のパターンＩＤを選択するだけで容易にカスタマイズすることが可能となる。また、登録された情報は、登録ＩＤにより管理されるので、一人のユーザにつき、複数の登録を行うことができ、設定を行いたい機能に応じて複数登録された操作部の中から最も使い勝手のよい操作部を表示する画面を表示することが可能となる。
【００１８】
請求項４に記載の発明によれば、機能設定用の設定画面上の操作部を、予め登録されたパターン情報のパターンＩＤを選択するだけで、容易にカスタマイズすることが可能となる。
【００１９】
請求項５に記載の発明によれば、請求項３又は４に記載の発明において、パターンＩＤの一覧画面を表示する際に、パターンＩＤ及びパターンＩＤに対応付けてカスタム操作部データ保存部に記憶されているパターン情報の内容を表示するので、ユーザは容易に操作部のパターンを選択することが可能となる。
【００２０】
請求項６に記載の発明によれば、グループキーは、大小２種類の表示基準サイズが用意されており、大きいサイズの表示基準サイズが表示画面に形成されるタッチパネルの検出可能領域を超える場合は、小さいサイズの表示基準サイズで表示すべきグループキーの表示を行うので、画面の大きさに応じた操作性の良いサイズでグループキーを表示することが可能となる。
【００２１】
請求項７、８に記載の発明によれば、指サイズに応じたサイズで操作ボタンが表示されるので、操作性を向上させることが可能となる。
【００２２】
請求項９に記載の発明によれば、新しい機能が追加された場合に、新しい機能に関する操作ボタンをフロントページ画面に最優先で表示することが可能となる。
【発明を実施するための最良の形態】
【００２３】
以下、図を参照して、本発明に係る画像形成装置１００について説明する。
まず、構成を説明する。
画像形成装置１００は、例えばデジタル複写機であり、制御部１１、操作表示部１２、指紋入力部１３、カスタム操作部データ保存部１４、画像入力部１５、画像処理部１６、画像出力部１７、ユーザ認証手段１８等を備えて構成され、各部はバス１９により接続されている。
【００２４】
制御部１１は、ＣＰＵ（Central Processing Unit）、ＲＯＭ（Read Only Memory）、ＲＡＭ（Random Access Memory）、不揮発性メモリ等により構成される。制御部１１のＣＰＵは、操作表示部１２の操作により、ＲＯＭに記憶されているシステムプログラムや各種処理プログラムを読み出してＲＡＭ内に展開し、展開されたプログラムに従って、画像形成装置１００を構成する各部及び各装置の動作を集中制御する。
【００２５】
操作表示部１２は、ＬＣＤ（Liquid Crystal Display）等により構成され、制御部１１から入力される表示信号の指示に従って、ユーザが画像形成装置１００におけるモード選択を行うためのモード選択画面、複写機能の設定を入力するための設定画面等の各種画面の表示を行う表示部１０１と、ＬＣＤの各種画面上に構成された透明電極を格子状に配置した感圧式（抵抗膜圧式）のタッチパネルにより、画面上を手指で押下された力点のＸＹ座標を電圧値で検出し、検出された位置信号を操作信号として制御部１１に出力する操作部１０２とにより構成されている。表示部１０１に表示される各種画面には操作指示を入力するための操作ボタンが表示され、操作部１０２は、手指等により押下された座標情報を検出し、その位置信号を操作信号として制御部１１に出力することにより、押下された操作ボタンに対応する操作指示の入力を検出する。
また、操作表示部１２は、上述の表示部１０１に形成される操作部１０２とは別に、テンキー、クリアキー、メニューキー、スタートキー等のハードキー１０３を備え、キー操作による操作信号を制御部１１に出力する。
【００２６】
ここで、表示部１０１の画面サイズの制約により画像形成装置１００における全ての複写機能に対応する操作ボタンを１画面の設定画面に表示することは不可能である。そこで、設定画面においては、まず、複写機能の種類を示す属性を選択するための属性選択画面１２１が表示され、次いで、属性選択画面１２１（図２（ａ）（ｂ）参照）において選択された属性についての詳細条件を設定するための詳細設定画面１２２（図２（ｃ）参照）が表示されるようになっている。図３に、属性とその詳細条件の例を示す。属性選択画面１２１、詳細設定画面１２２のそれぞれにおいて最初に表示される画面をフロントページ画面と呼ぶ。フロントページ画面には、属性選択画面１２１、詳細設定画面１２２のそれぞれにおいて、使用頻度の高い操作ボタン等、最優先で表示すべき操作ボタンが表示される。優先度の低い操作ボタンはフロントページとは別画面に表示される。
【００２７】
図２（ａ）に、属性選択画面１２１のフロントページ画面１２１ａの一例を示す。図２（ａ）に示すように、フロントページ画面１２１ａは、属性を選択するための操作ボタン（属性選択ボタン；例えば、「読込／出力モード設定」ボタン、「紙サイズ設定」ボタン等）が表示されている。属性とは、上述したように複写機能の種類を表すものであり、例えば、読込／出力モード設定、出力濃度／ＥＥ（Electric Eye；自動濃度）設定、倍率設定、紙サイズ設定、原稿画質、応用機能設定等が挙げられる。フロントページ画面１２１ａにおいて「次へ」ボタンが押下されると、図２（ｂ）に示す次の属性選択画面１２１ｂが表示される。この属性選択画面１２１ｂは、フロントページ画面１２１ａが１頁で表示しきれない場合に表示されるフロントページ画面１２１ａ、或いは、フロントページ画面１２１ａより表示優先度の低い属性選択ボタンを表示する別画面である。
【００２８】
属性選択画面１２１から属性選択ボタンの何れかが押下されると、選択された属性の詳細設定画面１２２が表示される（図２（ｃ）参照）。この詳細設定画面１２２は、各属性の詳細条件を設定するための画面である。
【００２９】
この詳細設定画面１２２には、属性選択画面１２１で選択された属性の詳細条件の設定を行うためのグループキーが表示される。グループキーは、切り離して表示できない相関関係を有する一以上の操作ボタンからなる。図２（ｃ）は、属性選択画面１２１において、出力濃度／ＥＥ（Electric Eye；自動濃度）設定が選択された場合に表示される詳細設定画面１２２のフロントページ画面１２２ａの一例を示すものである。詳細設定画面１２２は、濃度レベルを設定するためのグループキーＫ１、濃度レベルの自動設定を指定するためのグループキーＫ２が表示されている。例えば、グループキーＫ１は、濃度レベルを設定するための［−２］〜［＋２］の５つの操作ボタンにより構成されている。この５つの操作ボタンは、画面サイズの制約があったとしても切り離して表示しては操作性が悪く好ましくなく、グループキーとして管理されることで、他のページ画面に跨って表示されることがないようになっている。
【００３０】
本発明に係る画像形成装置１００は、上述の各設定画面における操作部１０２をカスタマイズする操作部カスタマイズ機能を有する。この機能は、制御部１１のＣＰＵとＲＯＭに記憶された操作部カスタマイズ処理Ａプログラムとの協働によるソフトウエア処理により実現されるものである。詳細は後述する（図５参照）。この操作部カスタマイズ機能は、ユーザの使い勝手の良いように、属性選択画面１２１のフロントページ画面１２１ａに割り当てる属性選択ボタン及び属性選択ボタンの表示優先順位、各属性の詳細設定画面１２２のフロントページ画面１２２ａに割り当てるグループキー及びグループキーの表示優先順位等のカスタマイズ情報を登録しておくものである。属性選択画面１２１、詳細設定画面１２２を表示する際には、登録されたカスタマイズ情報に基づいて画面を作成して表示することにより、操作表示部１２の画面サイズが変更されても、カスタマイズされたとおりに操作部１０２を配置して設定画面をユーザに提供することが可能である。この操作部カスタマイズ機能により操作部１０２がカスタマイズされた設定画面をカスタム操作部画面と呼ぶ。
【００３１】
図１に戻り、指紋入力部１３は、静電容量式等の指紋センサにより構成され、指紋入力部１３の所定位置に載置された指紋情報を読み取って指紋画像データを取得し、制御部１１に出力する。指紋情報はユーザに固有の情報であるため、本実施の形態においては、指紋情報をユーザ識別情報として用い、指紋入力部１３を識別情報入力手段として用いる。
【００３２】
データ保存部１４は、不揮発性メモリ等により構成される。データ保存部１４は、画像形成装置１００を使用するユーザとして登録された各ユーザの識別コードであるユーザＩＤとそのユーザＩＤで識別されるユーザの指紋の特徴点データとを対応付けて格納する指紋データ保存部１４１と、カスタム操作部画面に表示される操作部１０２（カスタム操作部）のデフォルト情報（開発者が予め設定した情報）を格納するカスタム操作部デフォルトデータ保存部１４２と、後述する操作部カスタマイズ処理Ａにおいて登録されたカスタマイズ情報を、カスタマイズ情報を識別するための識別コードである登録ＩＤと対応付けて格納するカスタム操作部データ保存部１４３とを有する。
【００３３】
図４（ａ）に、カスタム操作部データ保存部１４３のデータ格納例を示す。図４（ａ）に示すように、カスタム操作部データ保存部１４３は、登録ＩＤと、その登録を行ったユーザのユーザＩＤと、その登録ＩＤに対して登録されたカスタマイズ情報（属性データファイルＤ０、各属性の詳細設定データファイルＤ１〜ＤＮ（Ｎは属性の個数））とを対応付けて格納する。
属性データファイルＤ０は、属性選択画面１２１に表示する属性選択ボタンに関する情報としての属性データを格納するためのファイルであり、図４（ｂ）に示すように、属性名情報（例えば、読込／出力モード設定、紙サイズ設定、倍率設定、・・・）と、その属性に対応する属性選択ボタンのフロントページ表示有無情報（例えば、有、無）、表示優先順位情報（例えば、１、２、３・・・Ｎ）、ボタン表示基準サイズ情報（Ｘ、Ｙ）、ユーザの指サイズ情報（FingerX、FingerY）、デフォルト条件情報（例えば、片面−片面、Ａ４、１００％、・・・）とを対応付けて記憶する。
属性の詳細設定データファイルＤ１〜ＤＮは、各属性の詳細条件を設定するために詳細設定画面１２２に表示されるグループキーに関する情報としての詳細設定データを格納するためのファイルであり、図４（ｃ）に示すように、グループキー名情報（例えば、グループキーＫ１、グループキーＫ２）と、そのグループキーのフロントページ表示有無情報（例えば、有、無）、表示優先順位情報（例えば、１、２）、大画面用のグループキーの表示基準サイズを示す大画面用キーサイズ情報（例えば、（Ｘ１、Ｙ１）、（Ｘ２、Ｙ２））、小画面用のグループキーの表示基準サイズを示す小画面用キーサイズ情報（例えば、（ｘ１、ｙ１）、（ｘ２、ｙ２））、大画面用表示データ（例えば、グループキー１の大画面用表示データ、グループキー２の大画面用表示データ）、小画面用表示データ（例えば、グループキー１の小画面用表示データ、グループキー２の小画面用表示データ）とを対応付けて記憶する。大小各画面用表示データには、大小各画面に表示される要素ボタン（グループキーを構成する操作ボタン；例えば、図２（ｃ）に示すグループキーＫ１においては、ボタン［−２］〜ボタン［＋２］）の表示データが含まれる。
【００３４】
なお、図４においては、ボタン表示基準サイズ情報、大画面用キーサイズ情報、小画面用キーサイズ情報、大画面用表示データ及び小画面用表示データを各登録ＩＤに対応付けて記憶する例を示しているが、これらの情報は予め設定された情報でありユーザにより登録される情報ではないので、カスタム操作部データ保存部１４３において各登録ＩＤに対応付けて記憶せずに、データ保存部１４に別途記憶し、必要時にＲＡＭに読み出すようにしてもよい。
【００３５】
カスタム操作部デフォルトデータ保存部１４２は、上述の属性データファイルＤ０、属性の詳細設定データファイルＤ１〜ＤＮと同様のファイルを格納している。格納されている情報は開発者によりデフォルトで設定されたものである。
【００３６】
ここで、画像形成装置１００に新しい機能が追加された場合、開発者等により、追加された機能に対応する属性選択ボタンに関する情報、グループキーに関する情報がカスタム操作部デフォルトデータ保存部１４２及びカスタム操作部データ保存部１４３に設定されるが、画像形成装置１００においては、属性選択ボタンのフロントページ画面１２１ａへの表示有無の情報及び表示優先順位情報を自動的に設定するための新規機能追加手段を有している。新規機能追加手段は、制御部１１のＣＰＵとＲＯＭに記憶された新規機能追加処理プログラムとの協働によるソフトウエア処理により実現されるものであり、操作表示部１２を介してこの処理の実行が指示されると、新規に追加された属性名に対応付けて、属性選択ボタンのフロントページ表示有無情報として「有」が設定されるとともに、表示優先順位情報として、０に最も近く且つ未だ使われていないマイナス値が設定される。
【００３７】
画像入力部１５は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像をＡ／Ｄ変換器によりデジタル画像データに変換して画像処理部１６に出力する。
【００３８】
画像処理部１６は、画像入力部１５から入力された画像データに空間フィルタ処理、拡大／縮小処理、回転処理、階調補正処理等の画像処理を施して画像出力部１７に出力する。
【００３９】
画像出力部１７は、パルス幅変調器、レーザ光源、感光ドラム、帯電器、現像器、給紙部、排紙部、定着装置等を備えて構成されており、画像処理部１６から入力された画像データをパルス幅変調器によりパルス幅変調してレーザ光を発光させ、帯電器により帯電された感光ドラム表面にレーザ光を照射することにより静電潜像を形成する。そして、画像出力部１７は、操作表示部１２から入力指示されたサイズ、向きの印刷用紙を給紙部から搬送し、感光ドラム表面の静電潜像を含む領域に現像器によりトナーを付着させ、搬送された印刷用紙にトナーを転写して定着させた後、排紙部から排出する。
【００４０】
ユーザ認証手段１８は、操作表示部１２を介して指紋の入力を要求し、指紋入力部１３に指紋情報が入力されて指紋画像データが取得されると、その特徴点データを算出し、これに一致する特徴点データが指紋データ保存部１４１に保存されているか否かの照合を行い、指紋データ保存部１４１に入力された指紋の特徴点データと一致する特徴点データが存在した場合、指紋を入力したユーザが許可されたユーザであると認証し、その特徴点データと対応付けて記憶されているユーザＩＤを取得する。ユーザ認証手段１８は、制御部１１のＣＰＵと、ＲＯＭに格納されたユーザ認証処理プログラムとの協働によるソフトウエア処理によって実現されるものである。
【００４１】
次に、本実施の形態の動作について説明する。
図５に、制御部１１により実行される操作部カスタマイズ処理Ａを示す。当該処理は、操作表示部１２のモード選択画面から「操作部カスタマイズ機能モード」が選択された際に実行される処理である。
【００４２】
まず、ユーザ認証手段１８においてユーザ認証が行われる（ステップＳ１）。即ち、操作表示部１２に「個人認証を行います。指紋入力部に登録済みの指を置いてください」というメッセージが表示され、指紋入力部１３から指紋情報が入力されて指紋画像データが取得されると、その特徴点データが算出され、算出された特徴点データと一致する特徴点データが指紋データ保存部１４１に保存されているか否かの照合が行われる。指紋データ保存部１４１に入力された指紋情報の特徴点データと一致する特徴点データが存在した場合、指紋情報を入力したユーザが許可されたユーザであると認証される。ユーザ認証手段１８により、指紋を入力したユーザが許可されたユーザであると認証されると（ステップＳ２；ＹＥＳ）、処理はステップＳ３に移行する。指紋データ保存部１４１に入力された指紋の特徴点データと一致する特徴点データが存在せず、許可されたユーザではないと判断されると（ステップＳ２；ＮＯ）、本処理は終了する。
【００４３】
ステップＳ３においては、操作表示部１２に「登録ＩＤを表示されたキーボード若しくはテンキーから入力して下さい。ＩＤの入力が終了したら終了ボタンを押してください」というメッセージ及びキーボードが表示された登録ＩＤ入力画面（図示せず）が表示され、この登録ＩＤ入力画面から登録ＩＤの入力が行われる（ステップＳ３）。登録ＩＤが入力されると、カスタム操作部データ保存部１４３が参照され、既に登録済みのＩＤであるか否かが判断され、既に登録済みのＩＤであると判断された場合（ステップＳ４；ＹＥＳ）、操作表示部１２に「入力されたＩＤは登録済みです。このＩＤで登録されたカスタム操作部を修正しますか。」というメッセージ、修正を指示する修正ボタン及び修正しないことを指示する非修正ボタンが表示された確認画面（図示せず）が表示され、修正ボタンによりカスタム操作部の修正が指示されると（ステップＳ５；ＹＥＳ）、制御部１１のＲＡＭにカスタム操作部データ保存部１４３から入力された登録ＩＤに対応付けられて記憶されているカスタマイズ情報が読み出され（ステップＳ６）、処理はステップＳ８に移行し、非修正ボタンによりカスタム操作部の修正が指示されなければ（ステップＳ５；ＮＯ）、本処理は終了する。ステップＳ４において、入力された登録ＩＤが登録済みのＩＤではないと判断された場合（ステップＳ４；ＮＯ）、制御部１１のＲＡＭにカスタム操作部デフォルトデータ保存部１４２からデフォルト情報が読み出され（ステップＳ７）、処理はステップＳ８に移行する。
【００４４】
ユーザ認証及び登録ＩＤの入力が終了すると、フロントページ表示属性登録処理（ステップＳ８）、属性の表示順位登録処理（ステップＳ９）、各属性のデフォルト条件登録処理（ステップＳ１０）、各属性の詳細表示登録処理（ステップＳ１１）、各属性の詳細表示優先順位登録処理（ステップＳ１２）が実行される。これらのステップＳ８〜Ｓ１２の処理は、ユーザが操作部１０２のカスタマイズの設定を行うための処理である。ステップＳ１２までが終了すると、指サイズ登録処理が行われ（ステップＳ１３）、ステップＳ８〜Ｓ１２において登録された内容及び登録された指サイズがステップＳ３で入力された登録ＩＤに対応付けられてカスタム操作部データ保存部１４３に保存され（ステップＳ１４）、本処理は終了する。
【００４５】
図６に、図５のステップＳ８において制御部１１により実行されるフロントページ表示属性登録処理を示す。当該処理は、属性選択画面１２１を表示する際に、最初のページであるフロントページ画面１２１ａに表示する属性選択ボタンを選択するための処理であり、制御部１１のＣＰＵとＲＯＭに記憶されたフロントページ表示属性登録処理プログラムとの協働によるソフトウエア処理により実現されるものである。
【００４６】
まず、操作表示部１２にフロントページ表示属性登録画面１２３が表示される（ステップＴ１）。このフロントページ表示属性登録画面１２３には、ＲＡＭに読み出されたカスタマイズ情報又はデフォルト情報における表示優先順位順に属性が一覧表示されており、一つのページに全ての属性が表示不可能な場合は、次頁ボタンが表示され、複数ページにわたってフロントページ表示属性登録画面１２３が表示される。図７（ａ）に、ステップＴ１で表示されるフロントページ表示属性登録画面１２３の一例を示す。図７（ａ）に示すように、フロントページ表示属性登録画面１２３は、現在登録されている表示優先順位順に、属性名、表示優先順位及びフロントページ表示有無が対応付けられて一覧表示されている。
【００４７】
次いで、フロントページ表示属性登録画面１２３を介して各属性選択ボタンのフロントページ画面への表示有無の登録が行われる（ステップＴ２）。フロントページ表示属性登録画面１２３は、ある属性の属性欄が押下されることにより、その属性の属性選択ボタンのフロントページ画面への表示の有無が切り換えられるようになっている。図７（ｂ）においては、「紙サイズ設定」の欄が押下され、「紙サイズ設定」の属性選択ボタンのフロントページ画面への表示が有りから無しに切り換えられた場合を示すものである。この操作により、ユーザは各属性に対する属性選択ボタンのフロントページ画面への表示の有無の選択を行うことが可能である。ユーザの登録操作に応じて、ＲＡＭ上の属性データにおけるフロントページ表示有無情報の書き換えが行われる。登録操作が終了し、決定ボタンが押下されると（ステップＴ３；ＹＥＳ）、登録されたフロントページ表示有無情報に基づいて表示優先順位が再計算されてＲＡＭ上の属性データにおける表示優先順位情報の書き換えが行われ、各属性の属性選択ボタンに対するフロントページ表示有無情報及び再計算された表示優先順位の情報がフロントページ表示属性登録画面１２３に所定時間表示され（ステップＴ４）、処理は図５のステップＳ９に移行する。表示優先順位として同じ数値は設定されない。図７（ｂ）に示す内容の登録を行った場合には、フロントページ表示無しとして登録された「紙サイズ設定」ボタンの表示優先順位が、表示有りとして登録された「読込／出力モード設定」ボタン、「倍率設定」ボタン、「出力濃度／ＥＥ設定」ボタンに比べて低くなり、再計算の結果として、図７（ｃ）に示すフロントページ表示属性登録画面１２３が表示される。
【００４８】
図８に、図５のステップＳ９において制御部１１により実行される属性の表示優先順位登録処理を示す。当該処理は、属性選択画面１２１を表示する際に最初に表示するページであるフロントページ画面１２１ａに表示する属性選択ボタンの表示優先順位及びフロントページ画面１２１ａに表示しない属性選択ボタンの表示優先順位を登録するための処理であり、制御部１１のＣＰＵとＲＯＭに記憶された属性の表示優先順位登録処理プログラムとの協働によるソフトウエア処理により実現されるものである。
【００４９】
まず、操作表示部１２に、属性選択ボタンのフロントページ画面１２１ａへの表示が有りと登録された属性の表示優先順位を登録するための属性表示優先順位登録画面１２４が表示される（ステップＴ１１）。属性表示優先順位登録画面１２４は、属性選択ボタンのフロントページ画面１２１ａへの表示が有りと登録された属性の一覧が表示優先順位情報に従って表示されており、一つのページに全ての属性が表示不可能な場合は、次頁ボタンが表示され、複数ページにわたって属性表示優先順位登録画面１２４が表示される。図９（ａ）に、ステップＴ１１で表示される属性表示優先順位登録画面１２４の一例を示す。図９（ａ）に示すように、属性表示優先順位登録画面１２４は、フロントページ表示属性登録処理で再計算された優先順位順に、属性名及び表示優先順位が対応付けられて一覧表示されている。また、属性表示優先順位登録画面１２４には、入力ボタン及び決定ボタンが表示されている。属性表示優先順位登録画面１２４は、ある属性の優先順位欄が押下されることにより、その属性の表示優先順位の修正が可能となり、ハードキー１０３から修正値が入力され入力ボタンが押下されることにより、入力に基づいて表示優先順位が再計算され、ＲＡＭ上の属性データの表示優先順位情報の修正が行われる。決定ボタンが押下されると、フロントページにおける属性の表示優先順位が表示されている表示優先順位に決定される。
【００５０】
属性表示優先順位登録画面１２４から決定ボタンが押下されず（ステップＴ１２；ＮＯ）、修正入力が行われると（ステップＴ１３）、修正入力に基づいて表示優先順位情報が再計算されて修正され（ステップＴ１４）、処理はステップＴ１１に戻る。例えば、図９（ｂ）に示すように、「倍率設定」の表示優先順位を押下して「３」と入力する修正入力を行った場合、表示優先順位が再計算されて修正され、図９（ｃ）に示す属性表示優先順位登録画面１２４が表示される。属性表示優先順位登録画面１２４から決定ボタンが押下されると（ステップＴ１２；ＹＥＳ）、処理はステップＴ１５に移行し、操作表示部１２に、属性選択ボタンのフロントページ画面１２１ａへの表示が無しと登録された属性の表示優先順位を登録するための属性表示優先順位登録画面１２５が表示される（ステップＴ１５）。
【００５１】
属性表示優先順位登録画面１２５は、フロントページ画面１２１ａへの表示無しが登録された属性の一覧が優先順位に従って表示されており、一つのページに全ての属性が表示不可能な場合は、次頁ボタンが表示され、複数ページにわたって属性表示優先順位登録画面１２５が表示される。属性表示優先順位登録画面１２５は、図９で説明した属性表示優先順位登録画面１２４と同様であり、表示されるボタン及び操作方法も同様である。
【００５２】
属性表示優先順位登録画面１２５から決定ボタンが押下されず（ステップＴ１６；ＮＯ）、ハードキー１０３から修正値が入力されると（ステップＴ１７）、修正入力に基づいて表示優先順位情報が再計算されて修正され（ステップＴ１８）、処理はステップＴ１５に戻る。属性表示優先順位登録画面１２５から決定ボタンが押下されると（ステップＴ１６；ＹＥＳ）、処理は図５のステップＳ１０に移行する。
【００５３】
図１０に、図５のステップＳ１０において制御部１１により実行される各属性のデフォルト条件登録処理を示す。ここで、設定画面における設定対象の属性を選択するための属性選択画面１２１に表示される属性選択ボタンには、図２（ａ）に示すように属性名とともにその属性においてデフォルトで設定されている詳細条件が表示される。当該処理は、各属性の機能に対するデフォルトの詳細条件を登録するための処理であり、制御部１１のＣＰＵとＲＯＭに記憶された各属性のデフォルト条件登録処理プログラムとの協働によるソフトウエア処理により実現されるものである。
【００５４】
まず、操作表示部１２に属性別デフォルト条件設定画面１２６が表示される（ステップＴ２１）。属性別デフォルト条件登録画面１２６は、属性の一覧が表示優先順位に従って表示されており、各属性には、その属性にデフォルトで設定されている詳細条件（デフォルト条件）が対応付けて表示されているものである。図１１（ａ）に、ステップＴ２１で表示される属性別デフォルト条件登録画面１２６の一例を示す。図１１（ａ）に示すように、属性別デフォルト条件登録画面１２６は、表示優先順位順に、属性名及びその属性のデフォルト条件が対応付けられて一覧表示されている。また、属性別デフォルト条件登録画面１２６には、決定ボタンが表示されている。決定ボタンが押下されると、表示されている内容で各属性のデフォルト条件が決定される。属性別デフォルト条件登録画面１２６からある属性の属性欄が押下されると、その属性のデフォルト条件の修正画面１２７が表示される。修正画面１２７は、図１１（ｂ）に示すように、属性別デフォルト条件登録画面１２６から選択された属性に対する詳細条件の修正入力ができるようになっている。図１１（ｂ）では、属性が「読込／出力モード設定」の修正画面１２７を例として示す。修正画面１２７からデフォルトとして設定したい条件が入力（選択）され、決定ボタンが押下されると、ＲＡＭに読み出された属性データにおけるその属性のデフォルト条件情報が修正登録される。
【００５５】
属性別デフォルト条件登録画面１２６において、決定ボタンが押下されることなく、ある属性の属性欄が押下されて修正指示が行われると（ステップＴ２２；ＮＯ）、その属性のデフォルト条件を入力するための修正画面１２７が表示され（ステップＴ２３）、表示された修正画面１２７からデフォルト条件が修正入力されてデフォルト条件の修正登録が行われると（ステップＴ２４）、処理はステップＴ２１に戻り、属性別デフォルト条件登録画面１２６が表示される。修正が終了し、属性別デフォルト条件登録画面１２６から決定ボタンが押下されると（ステップＴ２２；ＹＥＳ）、処理は図５のステップＳ１１に移行する。
【００５６】
図１２に、図５のステップＳ１１において制御部１１により実行される各属性の詳細表示登録処理を示す。ここで、属性選択画面１２１から属性選択ボタンが押下されると、選択された属性の詳細設定画面１２２が表示される。当該処理は、各属性の詳細設定画面１２２において、そのフロントページ画面１２２ａに表示するグループキーを登録するための処理であり、制御部１１のＣＰＵとＲＯＭに記憶された各属性の詳細表示登録処理プログラムとの協働によるソフトウエア処理により実現されるものである。
【００５７】
まず、操作表示部１２に属性一覧画面１２８が表示される（ステップＴ３１）。この属性一覧画面１２８には、属性選択ボタンの表示優先順位順に属性が一覧表示されており、一つのページに全ての属性が表示不可能な場合は、次頁ボタンが表示され、複数ページにわたって属性一覧画面１２８が表示される。図１３（ａ）に、ステップＴ３１で表示される属性一覧画面１２８の一例を示す。属性一覧画面１２８に表示された属性名が押下されることにより、押下された属性の詳細設定画面のフロントページ画面１２２ａの登録を修正できるようになっている。デフォルトは、開発者により設定されている。
【００５８】
属性一覧画面１２８からフロントページ表示有無の修正を行う属性が選択され、修正が指示されると（ステップＴ３２；ＹＥＳ）、選択された属性の詳細設定画面１２２のフロントページ表示有無登録画面１２９が表示される（ステップＴ３３）。図１３（ｂ）に、属性が「出力濃度／ＥＥ設定」が選択された場合に表示されるフロントページ表示有無登録画面１２９の一例を示す。フロントページ表示有無登録画面１２９において、切り離して表示することが不可能なグループキーは枠で囲って表示される。フロントページに表示しない設定となっているグループキーは網掛け表示される。枠で囲まれたグループキーが押下されると、そのグループキーのフロントページ画面１２２ａへの表示の有無が切り換えられるようになっている。図１３（ｂ）においては、グループキーＫ１はフロントページ画面１２２ａへの表示が無しと設定され、グループキーＫ２はフロントページ画面１２２ａへの表示が有りと設定された場合の状態を示している。決定ボタンが押下されると、表示された内容でＲＡＭ上のその属性の詳細設定データのフロントページ表示有無情報が登録される。
【００５９】
フロントページ表示有無登録画面１２９から決定ボタンが押下されることなく（ステップＴ３４；ＮＯ）、グループキーが押下され、表示有無の切り換えが指示されると、表示有無の切り換え指示に応じてＲＡＭ上の表示有無情報が修正登録され（ステップＴ３５）、処理はステップＴ３３に戻る。フロントページ表示有無登録画面１２９から決定ボタンが押下されると（ステップＴ３４；ＹＥＳ）、ＲＡＭ上の表示有無情報に基づいて、表示優先順位が再計算され（ステップＴ３６）、処理はステップＴ３１に戻り、再度属性一覧画面１２８が表示される。その属性のグループキーの種類がｑ個で表示有りと設定されたグループキーの個数がｐ個の場合、フロントページに割付けられている（フロントページ表示有りが設定された）グループキーの表示優先順位は１〜ｐとなり、フロントページに割付けられていない属性の表示優先順位はｐ＋１〜ｑとなる。表示優先順位として同じ数値は設定されない。
【００６０】
属性一覧画面１２８からフロントページ画面１２２ａへのグループキーの表示有無を修正する属性が選択されず、終了ボタンが押下されると（ステップＴ３２；ＮＯ）、処理は図５のステップＳ１２に移行する。
【００６１】
図１４に、図５のステップＳ１２において制御部１１により実行される各属性の詳細表示優先順位登録処理を示す。当該処理は、各属性の詳細設定画面１２２を表示するグループキーの表示優先順位を登録するための処理であり、制御部１１のＣＰＵとＲＯＭに記憶された各属性の詳細表示優先順位登録処理プログラムとの協働によるソフトウエア処理により実現されるものである。
【００６２】
まず、操作表示部１２に属性一覧画面１３０が表示される（ステップＴ４１）。グループキー一覧画面１３０は、属性選択ボタンの表示優先順位順に属性が一覧表示されており、一つのページに全ての属性が表示不可能な場合は、次頁ボタンが表示され、複数ページにわたって属性一覧画面１３０が表示される。属性一覧画面１３０は、図１３（ａ）に示す属性一覧画面１２８とほぼ同様の画面である。
【００６３】
属性一覧画面１３０から詳細設定画面のグループキーの表示優先順位の修正を行う属性が選択され、修正が指示されると（ステップＴ４２；ＹＥＳ）、選択された属性において、フロントページ画面１２２ａへの表示有りが登録されているグループキーを表示優先順位順に表示するグループキー一覧画面１３１が表示される（ステップＴ４３）。ステップＴ４２において、修正が指示されず、決定ボタンが押下されると（ステップＴ４２；ＮＯ）、処理は図５のステップＳ１３に移行する。
【００６４】
図１５に、ステップＴ４３で表示されるグループキー一覧画面１３１の一例を示す。図１５に示すように、グループキー一覧画面１３１は、フロントページ表示有りが指定されたグループキーが優先順位順に、グループキー名称及び表示優先順位が対応付けられて一覧表示されている。また、グループキー一覧画面１３１には、入力ボタン及び決定ボタンが表示されている。グループキー一覧画面１３１は、あるグループキーのグループキー名称欄が押下されることにより、そのグループキーの表示優先順位の修正が可能となり、ハードキー１０３により修正値が入力され、入力ボタンが押下されると、表示優先順位が再計算され、ＲＡＭ上のそのグループキーに対する表示優先順位情報の修正登録が行われる。決定ボタンが押下されると、フロントページ画面１２２ａにおけるグループキーの表示優先順位が表示されている表示優先順位に決定される。
【００６５】
グループキー一覧画面１３１において決定ボタンが押下されず（ステップＴ４４；ＮＯ）、修正するグループキー名称欄が押下されて表示優先順位の修正値が入力されると（ステップＴ４５）、入力に基づいて表示優先順位が再計算されて登録され（ステップＴ４６）、処理はステップＴ４３に戻る。グループキー一覧画面１３１から決定ボタンが押下されると（ステップＴ４４；ＹＥＳ）、処理はステップＴ４７に移行する。
【００６６】
ステップＴ４７においては、操作表示部１２にグループキー一覧画面１３２が表示される。グループキー一覧画面１３２は、属性の詳細設定画面１２２のフロントページ画面１２２ａへの表示無しが指定されたグループキーが表示優先順位に従って表示されており、一つのページに全てのグループキーが表示不可能な場合は、次頁ボタンが表示され、複数ページにわたってグループキー一覧画面１３２が表示される。グループキー一覧画面１３２は、図１５に示すグループキー一覧画面１３１とほぼ同様の画面である。
【００６７】
グループキー一覧画面１３２において決定ボタンが押下されず（ステップＴ４８；ＮＯ）、修正するグループキー名称欄が押下されて表示優先順位の修正値が入力されると（ステップＴ４９）、入力に基づいて表示優先順位が再計算されて登録され（ステップＴ５０）、処理はステップＴ４７に戻る。グループキー一覧画面１３２から決定ボタンが押下されると（ステップＴ４８；ＹＥＳ）、処理はステップＴ４２に戻る。ステップＴ４２において、属性一覧画面１３０から属性が選択されず決定ボタンが押下されると（ステップＴ４２；ＮＯ）、処理は図５のステップＳ１３に移行する。
【００６８】
図５のステップＳ１３においては、指サイズ登録処理が行われる。指サイズ登録処理において、まず、操作表示部１２に「指サイズを登録します。指紋入力部にボタン押下に使用する指を乗せてください」等のメッセージが表示され、指紋入力部１３に指が載置されると、指紋入力部１３から指紋画像データが入力され、指紋画像データから指サイズが計測、取得され、ＲＡＭ上の指サイズ情報として登録される。なお、指サイズは、ユーザ認証時に入力された指紋情報の指紋画像データから計測し取得してもよい。
【００６９】
指サイズ登録処理が終了すると、新規登録の場合はステップＳ８〜Ｓ１３で登録された内容がカスタム操作部データ保存部１４３に格納されて保存され、修正の場合は、ステップＳ８〜Ｓ１３で登録された内容でカスタム操作部データ保存部１４３において当該登録ＩＤに対応付けて格納されている内容が書き換えられて保存され（ステップＳ１４）、本処理は終了する。即ち、ユーザ認証で認証されたユーザのユーザＩＤ（特徴点データでもよい）と、登録用ＩＤと、ステップＳ８〜Ｓ１３で登録されたカスタマイズ情報、詳細には属性データ（属性名情報／フロントページ表示有無情報／表示優先順位情報／ボタン表示基準サイズ情報、指サイズ情報、デフォルト条件情報）及び各属性の詳細設定データ（グループキー名情報／グループキーの詳細設定画面のフロントページ表示有無情報／グループキーの表示優先順位情報／グループキーサイズ情報（大画面用、小画面用）／グループキーの表示データ（大画面用、小画面用））とが対応付けられてカスタム操作部データ保存部１４３に保存され、本処理は終了する。
【００７０】
以下、カスタマイズされたカスタム操作部画面を実際にユーザが使用する際に実行されるカスタム操作部画面作成処理について説明する。
図１６に、制御部１１により実行されるカスタム操作部画面作成処理を示す。当該処理は、操作表示部１２のモード選択画面から「カスタム操作部呼び出し機能モード」が選択された際に実行される処理であり、制御部１１のＣＰＵとＲＯＭに記憶されたカスタム操作部画面作成処理プログラムとの協働によるソフトウエア処理により実現される。
【００７１】
まず、ユーザ認証手段１８によりユーザ認証が行われる（ステップＳ２１）。即ち、操作表示部１２に「個人認証を行います。指紋入力部に登録済みの指を置いてください」というメッセージが表示され、指紋入力部１３から指紋情報が入力されて指紋画像データが取得されると、その特徴点データが算出され、指紋データ保存部１４１に一致する特徴点データが保存されているか否かの照合が行われる。指紋データ保存部１４１に入力された指紋の特徴点データと一致する特徴点データが存在する場合、指紋を入力したユーザが許可されたユーザである認証される。ユーザ認証手段１８により指紋を入力したユーザが許可されたユーザであると認証されると（ステップＳ２２；ＹＥＳ）、処理はステップＳ２３に移行する。指紋データ保存部１４１に入力された指紋の特徴点データと一致する特徴点データが存在せず、許可されたユーザではないと判断されると（ステップＳ２２；ＮＯ）、本処理は終了する。
【００７２】
ステップＳ２３においては、操作表示部１２に「カスタム登録ＩＤをキーボード若しくはテンキーから入力して下さい。ＩＤの入力が終了したら終了ボタンを押してください」というメッセージ及びキーボードが表示された登録ＩＤ入力画面（図示せず）が表示され、この登録ＩＤ入力画面から登録ＩＤの入力が行われる（ステップＳ２３）。登録ＩＤが入力されると、カスタム操作部データ保存部１４３が参照され、登録されているＩＤであるか否かが判断され、登録されていないＩＤであると判断された場合（ステップＳ２４；ＮＯ）、操作表示部１２に「入力されたＩＤは存在しません」と表示され、本処理は終了する。
【００７３】
入力されたＩＤが登録されているＩＤである場合（ステップＳ２４；ＹＥＳ）、カスタム操作部データ保存部１４３から当該登録ＩＤに対応するカスタマイズ情報が読み出される（ステップＳ２５）。
【００７４】
次いで、表示すべき画面が属性選択画面１２１であるか又は詳細設定画面１２２であるかが判断され(ステップＳ２６）、属性選択画面である場合は（ステップＳ２６；ＹＥＳ）、属性選択画面作成処理が実行される（ステップＳ２７）。表示すべき画面が詳細設定画面である場合は（ステップＳ２６；ＮＯ）、詳細設定画面作成処理が実行される（ステップＳ２８）。属性選択画面又は詳細設定画面の表示後、他のカスタム操作部画面の表示が指示された場合（ステップＳ２９；ＹＥＳ）、処理はステップＳ２６に戻る。他のカスタム操作部画面の表示が指示されず、カスタム操作部画面の表示終了が指示されると（ステップＳ２９；ＮＯ）、本処理は終了する。
【００７５】
図１７に、図１６のステップＳ２７において制御部１１により実行される属性選択画面作成処理を示す。当該処理は、制御部１１のＣＰＵとＲＯＭに記憶された属性選択画面作成処理プログラムとの協働によるソフトウエア処理により実現されるものである。
【００７６】
まず、操作表示部１２から表示画面上のタッチパネルによる検出可能領域サイズ（ＲＸ、ＲＹ）が取得される（ステップＡ１）。図１８（ａ）に、表示画面の検出可能領域を模式的に示す。検出可能領域は、手指により押下された力点のＸＹ座標を検出可能な領域であり、表示画面が大きいほど検出可能領域は大きくなる。
【００７７】
次いで、次に表示すべき画面がフロントページ画面１２１ａであるか否かが判断され、フロントページ画面１２１ａである場合は（ステップＡ２；ＹＥＳ）、読み出されたカスタマイズ情報が参照され、フロントページ表示有りが設定されているがまだ表示されていない属性選択ボタンのうち最も表示優先順位の高い属性選択ボタンが選択され、その表示基準サイズ又は指サイズの何れか大きい方のサイズがボタン表示サイズとして取得され（ステップＡ３）、処理はステップＡ５に移行する。次に表示すべき画面がフロントページ画面１２１ａではないと判断された場合（ステップＡ２；ＮＯ）、読み出されたカスタマイズ情報が参照され、フロントページ表示無しが設定されているがまだ表示されていない属性選択ボタンのうち最も表示優先順位の高い属性選択ボタンが選択され、その表示基準サイズ又は指サイズの何れか大きい方のサイズがボタン表示サイズとして取得され（ステップＡ４）、処理はステップＡ５に移行する。
【００７８】
なお、表示優先順位にマイナス値がある場合は、マイナスかつ数値が大きい方が最も表示優先順位が高いものとして処理される。即ち、表示優先順位情報がマイナス値である新規に追加された機能の属性選択ボタンは、フロントページ画面１２１ａに優先的に表示される。
【００７９】
ステップＡ５においては、取得されたボタン表示サイズ及びボタン配列方向に基づいて、表示画面上におけるボタン張り付け位置が決定される。図１８（ｂ）に、ボタン配列方向の一例を示す。本実施の形態においては、図１８（ｂ）に示すボタン配列方向でボタンの配置位置を決定していくこととするが、他の方向であってもよい。また、ボタン配列方向も指定に基づき変更可能としてもよい。
【００８０】
次いで、取得された検出可能領域サイズに基づいて、決定されたボタン張り付け位置が検出可能領域内であるか否かが判断され、検出可能領域内であると判断された場合（ステップＡ６；ＹＥＳ）、決定されたボタン張り付け位置にステップＡ３又はＡ４で選択された属性選択ボタンが表示され（ステップＡ７）、未表示の属性選択ボタンがあるか否かが判断され、未表示の属性選択ボタンがある場合は（ステップＡ８；ＹＥＳ）、処理はステップＡ２に戻る。ここで、表示する画面がフロントページ画面１２１ａである場合は、フロントページ表示有りが設定されているがまだ表示されていない属性選択ボタンを検索することにより未表示の属性選択ボタンがあるか否かが判断される。フロントページ画面１２１ａではない場合は、フロントページ表示無しが設定されているがまだ表示されていない属性選択ボタンを検索することにより、未表示の属性選択ボタンがあるか否かが判断される。未表示の属性選択ボタンがない場合は、処理はステップＡ１０に移行する。
【００８１】
一方、決定されたボタン張り付け位置が検出可能領域内に収まらないと判断された場合（ステップＡ６；ＮＯ）、表示画面上の所定位置に所定のサイズで「次へ」ボタンが表示される（ステップＡ９）。また、前ページがある場合は（ステップＡ１０；ＹＥＳ）、表示画面上の所定位置に所定サイズで「前へ」ボタンが表示され(ステップＡ１１）、本処理は終了する。
【００８２】
図１９に、図１６のステップＳ２８において制御部１１により実行される詳細設定画面作成処理を示す。当該処理は、制御部１１のＣＰＵとＲＯＭに記憶された詳細設定画面作成処理プログラムとの協働によるソフトウエア処理により実現されるものである。
【００８３】
まず、操作表示部１２から表示画面の検出可能領域サイズ（ＲＸ、ＲＹ）が取得される（ステップＡ２１）。
【００８４】
次いで、次に表示すべき画面がフロントページ画面１２２ａであるか否かが判断され、フロントページ画面１２２ａである場合は（ステップＡ２２；ＹＥＳ）、読み出されたカスタマイズ情報が参照され、フロントページ表示有りが設定されているがまだ表示されていないグループキーのうち最も表示優先順位の高いグループキーが選択されてその大画面用グループキーサイズが取得され（ステップＡ２３）、処理はステップＡ２５に移行する。次に表示すべき画面がフロントページ画面１２２ａではないと判断された場合（ステップＡ２２；ＮＯ）、読み出されたカスタマイズ情報が参照され、フロントページ表示無しが設定されているがまだ表示されていないグループキーのうち最も表示優先順位の高いグループキーが選択されてその大画面用グループキーサイズが取得され（ステップＡ２４）、処理はステップＡ２５に移行する。
【００８５】
ステップＡ２５においては、取得された大画面用のグループキーサイズと検出可能領域サイズとの比較により、大画面用のグループキーが検出可能領域内に表示可能であるか否かが判断され、表示可能であると判断されると（ステップＡ２５；ＹＥＳ）、グループキーの表示方法が大画面用に決定され（ステップＡ２６）、処理はステップＡ２８に移行する。大画面用のグループキーが検出可能領域内に表示不可能であると判断されると(ステップＡ２５；ＮＯ）、グループキーの表示方法が小画面用に決定されて小画面用のグループキーサイズが取得され（ステップＡ２７）、処理はステップＡ２８に移行する。
【００８６】
ステップＡ２８においては、決定されたグループキーの表示方法及びボタン配列方向に基づいてボタン張り付け位置が決定される（ステップＡ２８）。次いで、検出可能領域サイズに基づいて、決定されたボタン張り付け位置が検出可能領域内であるか否かが判断され、検出可能領域内であると判断された場合（ステップＡ２９；ＹＥＳ）、表示画面上の決定されたボタン張り付け位置に、ステップＡ２３又はＡ２４で選択されたグループキーがステップＡ２６又はＡ２７で決定された表示方法で表示され（ステップＡ３０）、まだ表示されていない未表示グループキーがある場合は（ステップＡ３１；ＹＥＳ）、処理はステップＡ２２に戻る。ここで、表示する画面がフロントページ画面１２２ａである場合は、フロントページ表示有りが設定されているがまだ表示されていないグループキーを検索することにより未表示グループキーがあるか否かが判断される。表示する画面がフロントページ画面１２２ａではない場合は、フロントページ表示無しが設定されているがまだ表示されていないグループキーを検索することにより、未表示グループキーがあるか否かが判断される。未表示グループキーがない場合は、処理はステップＡ３３に移行する。
【００８７】
一方、決定されたボタン張り付け位置が検出可能領域内ではないと判断された場合（ステップＡ２９；ＮＯ）、表示画面上の所定位置に所定サイズで「次へ」ボタンが表示される（ステップＡ３２）。また、前ページがある場合は（ステップＡ３３；ＹＥＳ）、表示画面上の所定位置に所定サイズで「前へ」ボタンが表示され(ステップＡ３４）、本処理は終了する。
【００８８】
操作表示部１２として小画面が接続されていると、図２０（ａ）に示すように、大画面用のグループキーが表示できない場合がある。上記詳細設定画面作成処理においては、検出可能領域と大画面用のグループキーサイズを比較し、大画面用のグループキーが検出可能領域内に表示不可能である場合は、自動的に図２０（ｂ）に示す小画面用の表示方法でグループキーを表示することができるので、画面の大きさに応じた操作性の良いサイズでグループキーを表示することが可能となる。また、たとえ接続される画面サイズが変更されても、画面サイズの大小に関係なく、登録されたカスタマイズ情報を利用してカスタム操作部画面を提供することができる。
【００８９】
以上説明したように、画像形成装置１００によれば、ユーザは操作部カスタマイズ処理により、属性選択画面１２１に表示される各属性選択ボタン、詳細設定画面１２２に表示される各グループキーに対して、フロントページ表示有無情報、表示優先順位情報等のカスタマイズ情報を登録することができ、登録されたカスタマイズ情報は、入力された登録ＩＤに対応付けてカスタム操作部データ保存部１４３に記憶される。カスタマイズされたカスタム操作部画面としての属性選択画面１２１又は詳細設定画面１２２を表示する際には、登録ＩＤを入力することにより、入力された登録ＩＤに対応付けてカスタム操作部データ保存部１４３に記憶されているフロントページ表示有無情報、表示優先順位情報と、予め設定されている表示基準サイズ、表示画面上のタッチパネルの検出可能領域サイズに基づいて、検出可能領域内に属性選択ボタンやグループキーが配置され画面が表示される。従って、機能設定するための設定画面である属性選択画面１２１及び詳細設定画面１２２上の操作部をユーザの使い勝手が良いようにカスタマイズして登録することが可能となり、また、画面サイズに変更があっても、再登録を行うことなくユーザにカスタマイズされたとおりに操作ボタン及び／又はグループキーを表示したカスタム操作部画面を提供することが可能となる。また、指サイズと表示基準サイズのうち大きい方のサイズで操作ボタンを表示するので、操作性の良い画面を提供することが可能となる。
【００９０】
なお、上記実施の形態においては、ユーザがそれぞれカスタマイズ情報の登録操作を行う場合について説明した。これにより、個々のユーザが所望のカスタム操作部画面をカスタマイズすることが可能となる。一方、予め開発者等により複数のカスタマイズ情報のパターン（パターン情報）をパターンＩＤと対応付けてデータ保存部１４の図示しない簡単カスタム操作部データ保存部に保存しておけば、ユーザはパターンＩＤを選択するだけで、容易に操作部１０２のカスタマイズを行うことが可能となる。
【００９１】
図２１に、操作部カスタマイズ処理Ｂを示す。当該処理の実行により、ユーザがパターンＩＤを選択することで操作部１０２のカスタマイズを行うことが可能となる。当該処理は、操作表示部１２のモード選択画面から「簡単操作部カスタマイズ機能モード」が選択された際に実行される処理であり、制御部１１のＣＰＵとＲＯＭに記憶された操作部カスタマイズ処理Ｂプログラムとの協働によるソフトウエア処理により実現される。
【００９２】
操作部カスタマイズ処理Ｂを実行するため、データ保存部１４は、上述の指紋データ保存部１４１、カスタム情報のパターン（パターン情報）をパターンＩＤと対応付けて記憶する図示しない簡単カスタム操作部データ保存部、並びに後述する操作部カスタマイズ処理Ｂにおいて、登録ＩＤ、入力された指紋情報に対応するユーザＩＤ、選択されたパターンＩＤ及び指サイズ情報を対応付けて記憶する図示しない登録情報保存部を有している。
【００９３】
まず、ユーザ認証手段１８によりユーザ認証が行われる（ステップＳ４１）。即ち、操作表示部１２に「個人認証を行います。指紋入力部に登録済みの指を置いてください」というメッセージが表示され、指紋入力部１３から指紋が入力されて指紋画像データが取得されると、その特徴点データが算出され、指紋データ保存部１４１に一致する特徴点データが保存されているか否かの照合が行われる。指紋データ保存部１４１に入力された指紋の特徴点データと一致する特徴点データが存在した場合、指紋を入力したユーザが許可されたユーザであると認証される。ユーザ認証手段１８により、指紋を入力したユーザが許可されたユーザであると認証されると（ステップＳ４２；ＹＥＳ）、処理はステップＳ４３に移行する。指紋データ保存部１４１に入力された指紋の特徴点データと一致する特徴点データが存在せず、許可されたユーザではないと判断されると（ステップＳ４２；ＮＯ）、本処理は終了する。
【００９４】
ステップＳ４３においては、操作表示部１２に「登録ＩＤをテンキー又は表示されたキーボードから入力して下さい。ＩＤの入力が終了したら終了ボタンを押してください」というメッセージ及びキーボードが表示された登録ＩＤ入力画面（図示せず）が表示され、この登録ＩＤ入力画面から登録ＩＤの入力が行われる（ステップＳ４３）。登録ＩＤが入力されると、登録情報保存部が参照され、既に登録済みのＩＤであるか否かが判断され、既に登録済みのＩＤであると判断された場合（ステップＳ４４）、操作表示部１２に「入力されたＩＤは登録済みです。このＩＤで登録されたカスタム操作部を変更しますか。」というメッセージ、変更を指示する変更ボタン及び変更しないこと指示する非変更ボタンが表示された確認画面（図示せず）が表示され、変更ボタンによりカスタム操作部の変更が指示されると（ステップＳ４５；ＹＥＳ）、処理はステップＳ４６に移行し、非変更ボタンによりカスタム操作部の変更が指示されなければ（ステップＳ４５；ＮＯ）、本処理は終了する。
【００９５】
ユーザ認証及び登録ＩＤの入力が終了すると、データ保存部１４の簡単カスタム操作部データ保存部が参照され、簡単カスタム操作部データ保存部に保存されているパターン情報の内容をパターンＩＤと対応付けて表示するカスタム操作部パターンＩＤ一覧画面（図示せず）が表示される（ステップＳ４６）。このカスタム操作部パターンＩＤ一覧画面からパターンＩＤが選択されると（ステップＳ４７）、指サイズ登録処理が実行される（ステップＳ４８）。指サイズ登録処理は、図５のステップＳ１３と同様の処理である。指サイズの登録が終了すると、入力された登録ＩＤ、入力された指紋情報に対応するユーザＩＤ、選択されたパターンＩＤ及び登録された指サイズ情報が対応付けられてデータ保存部１４の登録情報保存部に保存され（ステップＳ４９）、本処理は終了する。
【００９６】
上記操作部カスタマイズ処理Ｂで登録されたカスタム操作部画面を表示する際には、図１６のカスタム操作部画面作成処理のステップＳ２５において、入力された登録ＩＤに対応するパターンＩＤに対応付けて簡単カスタム操作部データ保存部に記憶されているパターン情報が読み出され、読み出されたパターン情報に基づいて、ステップＳ２７の属性選択画面作成処理、ステップＳ２８の詳細設定画面作成処理が実行される。
【００９７】
上記操作部カスタマイズ処理Ｂによれば、ユーザがパターンＩＤを選択するだけで、煩わしい操作をすることなく操作部カスタマイズを行うことができる。また、パターンＩＤを選択するための簡単カスタム操作部パターンＩＤ一覧画面には、そのパターンＩＤに対応するパターン情報を表示するので、容易にパターンの選択を行うことが可能となる。
【００９８】
なお、本実施の形態における記述は、本発明に係る画像形成装置１００の好適な一例を示すものであり、これに限定されるものではない。
【００９９】
例えば、上述の操作部カスタマイズ処理Ａ及び操作部カスタマイズ処理Ｂにおいては、カスタマイズ情報を登録する際に登録ＩＤを用い、一人のユーザが複数のカスタム操作部を登録することを可能とした。これにより、カスタマイズされた複数の画面の中から設定を行いたい機能に応じて使い勝手のよい画面を表示することが可能となるが、登録ＩＤを要求せず、ユーザ認証時に入力される指紋情報等のユーザ識別情報と登録されたカスタマイズ情報を対応付けて記憶し、カスタム操作部画面を表示する際には、ユーザ認証時に入力されたユーザ識別情報に対応付けて記憶されているカスタマイズ情報を読み出してカスタム操作部画面作成を表示するようにしてもよい。このようにすれば、一人のユーザに対して登録可能なカスタマイズ情報は一つとなるが、ユーザがいちいち登録ＩＤを覚えたり入力操作したりする必要がなくなり、操作性を向上させることが可能となる。
【０１００】
また、上記実施の形態においては、属性選択画面は属性を選択するための操作ボタンである属性選択ボタンのみ、詳細設定画面は切り離して表示できない一以上の操作ボタンからなるグループキーのみにより表示されることとしたが、これに限定されず、双方を表示するものであってもよい。また、設定画面としては、属性選択画面、詳細設定画面に限定されず、他の画面のカスタマイズに対しても本発明を適用することができる。
【０１０１】
その他、画像形成装置１００を構成する各装置の細部構成及び細部動作に関しても、本発明の趣旨を逸脱することのない範囲で適宜変更可能である。
【図面の簡単な説明】
【０１０２】
【図１】本発明に係る画像形成装置１００の機能的構成を示すブロック図である。
【図２】図１の操作表示部１２に表示される機能設定用の設定画面を示す図であり、（ａ）は、属性選択画面のフロントページ画面１２１ａを示す図、（ｂ）は、フロントページ画面１２１ａの次に表示される属性選択画面１２１ｂを示す図、（ｃ）は、詳細設定画面のフロントページ画面１２２ａを示す図である。
【図３】属性と詳細条件の一例を示す図である。
【図４】図１のカスタム操作部データ保存部１４３のデータ格納例を示す図である。
【図５】図１の制御部１１により実行される操作部カスタマイズ処理Ａを示すフローチャートである。
【図６】図１の制御部１１により実行されるフロントページ表示属性登録処理を示すフローチャートである。
【図７】図１の操作表示部１２に表示されるフロントページ表示属性登録画面１２３の一例を示す図である。
【図８】図１の制御部１１により実行される属性の表示優先順位登録処理を示すフローチャートである。
【図９】図１の操作表示部１２に表示される属性表示優先順位登録画面１２４の一例を示す図である。
【図１０】図１の制御部１１により実行される各属性のデフォルト条件登録処理を示すフローチャートである。
【図１１】（ａ）は、図１の操作表示部１２に表示される属性別デフォルト条件登録画面１２６の一例を示す図、（ｂ）は、属性別デフォルト条件登録画面１２６からデフォルト条件の修正を行う属性が選択された際に表示される修正画面１２７の一例を示す図である。
【図１２】図１の制御部１１により実行される各属性の詳細表示登録処理を示すフローチャートである。
【図１３】（ａ）は、図１の操作表示部１２に表示される属性一覧画面１２８の一例を示す図、（ｂ）は、図１の操作表示部１２に表示されるフロントページ表示有無登録画面１２９の一例を示す図である。
【図１４】図１の制御部１１により実行される各属性の詳細表示優先順位登録処理を示すフローチャートである。
【図１５】図１の操作表示部１２に表示されるグループキー一覧画面１３１の一例を示す図である。
【図１６】図１の制御部１１により実行されるカスタム操作部画面作成処理を示すフローチャートである。
【図１７】図１の制御部１１により実行される属性選択画面作成処理を示すフローチャートである。
【図１８】（ａ）は、表示画面の検出可能領域を模式的に示す図であり、（ｂ）はボタン配列方向の一例を示す図である。
【図１９】図１の制御部１１により実行される詳細設定画面作成処理を示すフローチャートである。
【図２０】（ａ）は、画像形成装置１００に接続された表示画面の画面サイズが小さい場合に大画面用グループキーを表示した場合の一例を示す図であり、（ｂ）は、画像形成装置１００に接続された表示画面の画面サイズが小さい場合に小画面用グループキーを表示した場合の一例を示す図である。
【図２１】図１の制御部１１により実行される操作部カスタマイズ処理Ｂを示すフローチャートである。
【符号の説明】
【０１０３】
１００  画像形成装置
１１  制御部
１２  操作表示部
１０１  表示部
１０２  操作部
１０３  ハードキー
１４  データ保存部
１４１指紋データ保存部
１４２  カスタム操作部デフォルトデータ保存部
１４３  カスタム操作部データ保存部
１５  画像入力部
１６  画像処理部
１７  画像出力部
１８  ユーザ認証手段
１９  バス
【図１】
2006211374.tif 000003
【図２】
2006211374.tif 000004
【図３】
2006211374.tif 000005
【図４】
2006211374.tif 000006
【図５】
2006211374.tif 000007
【図６】
2006211374.tif 000008
【図７】
2006211374.tif 000009
【図８】
2006211374.tif 000010
【図９】
2006211374.tif 000011
【図１０】
2006211374.tif 000012
【図１１】
2006211374.tif 000013
【図１２】
2006211374.tif 000014
【図１３】
2006211374.tif 000015
【図１４】
2006211374.tif 000016
【図１５】
2006211374.tif 000017
【図１６】
2006211374.tif 000018
【図１７】
2006211374.tif 000019
【図１８】
2006211374.tif 000020
【図１９】
2006211374.tif 000021
【図２０】
2006211374.tif 000022
【図２１】
2006211374.tif 000023